(57)【要約】【課題】極めて簡単な構成で容易にガラスフェンスを支柱に取り付けることができ、外観上も優れたガラスフェンスを得ることができるガラスフェンス用支柱構造を提供する。【解決手段】支柱は、支柱本体と該支柱本体の下部及び上部に形成された下側固定部及び上側固定部を有しており、下側固定部は、支柱本体の側方へ延設された下側アーム部と前記下側アーム部から前方に形成された下側張出部とを有し、下側張出部にはガラスフェンスの下端部を受容する上部が開放された受け溝部が形成されているとともに、上側固定部は、支柱本体の側方へ延設された上側アーム部と前記アーム部から前方に形成された上側張出部とを有し、上側張出部には固定金具部が形成されていて、該固定金具部は、ガラスフェンスの上端部に被着する下部が開放された被せ溝部を有しかつ該被せ溝部内には取付けねじによって前進してガラスフェンスを押圧する押え板を備えている。【選択図】図１
0003137717.tif 000002
【実用新案登録請求の範囲】
【請求項１】
ガラスフェンス（Ｇ）を取り付けるための支柱（１１）の構造であって、
前記支柱（１１）は、支柱本体（１２）と該支柱本体の下部及び上部に形成された下側固定部（２０）及び上側固定部（３０）を有しており、
前記下側固定部（２０）は、前記支柱本体の側方へ延設された下側アーム部（２１）と前記下側アーム部から前方に形成された下側張出部（２３）とを有し、前記下側張出部には前記ガラスフェンスの下端部（Ｇｄ）を受容する上部が開放された受け溝部（２５）が形成されているとともに、
前記上側固定部（３０）は、前記支柱本体の側方へ延設された上側アーム部（３１）と前記アーム部から前方に形成された上側張出部（３３）とを有し、前記上側張出部には固定金具部（４０）が形成されていて、該固定金具部は、前記ガラスフェンスの上端部（Ｇｕ）に被着する下部が開放された被せ溝部（４２）を有しかつ該被せ溝部内には取付けねじ（５０）によって前進してガラスフェンスを押圧する押え板（４５）を備えていることを特徴とするガラスフェンス用支柱構造。
【請求項２】
前記支柱が中間部用支柱（１１Ｍ）であって、前記下側アーム部及び上側アーム部が前記支柱本体の左右両側へ該支柱本体内を貫通してそれぞれ設けられている請求項１に記載のガラスフェンス用支柱構造。
【請求項３】
前記支柱が端部用支柱（１１Ｅ）であって、前記下側アーム部及び上側アーム部が前記支柱本体の一側へ該支柱本体内を貫通してそれぞれ設けられている請求項１に記載のガラスフェンス用支柱構造。
【請求項４】
前記ガラスフェンスの上端部に沿って断面逆Ｕ字状の補強用エッジ部材が取付けられている請求項１ないし３のいずれか１項に記載のガラスフェンス用支柱構造。
【考案の詳細な説明】
【技術分野】
【０００１】
この考案は、ガラスフェンス用支柱構造に関する。
【背景技術】
【０００２】
例えば、庭園のフェンス等として、あるいはショールームや展示会のパーテーション等として、種々のガラスフェンスが用いられている。このようなガラスフェンスは、例えば、床面に支柱を立設して隣り合う支柱と支柱との間にガラスフェンスを配置して、前記ガラスフェンスを取付部材を介してボルト等で支柱に固定する構成としたものがよく知られている。しかし、このようなガラスフェンスにおいて、前記ガラスフェンスの四隅には、ボルトが挿通できる取付孔を形成しなければならず、加工が煩雑で手間がかかり、コストが高くなる傾向がある。また、取付部材がガラスフェンスの表面に露出してしまう等デザイン上の制約が多い。
【０００３】
一方、上記したようにガラスフェンスに取付孔などの加工を施すことなく、前記板ガラスを支持する構造として、次のようなガラスフェンスの支持構造も提案されている（例えば、特許文献１参照）。すなわち、このガラスフェンスは３枚以上のガラス板が中間接着層を介して接着される合わせガラスからなり、前記合わせガラスの少なくとも端縁部に溝部が形成され、前記溝部には、スリット部を有する緩衝材を介して板ガラスの支持部材が取り付けられるものである。
【０００４】
しかしながら、前記ガラスフェンスの支持構造において、合わせガラスを構成する各ガラス板を貼り合わせる際に、縁部に緩衝材を装着するための前記溝部を形成しなければならず、前記各ガラス板の位置合わせが非常に困難である。さらに、前記緩衝材が有する溝部に、枠材の突条部を挿入して枠材をガラス板に取り付けた後、支柱に前記枠材を固定するので製造工程数が多くて煩雑である。
【特許文献１】特開２００１−２２７０９１号公報
【考案の開示】
【考案が解決しようとする課題】
【０００５】
この考案は前記の点に鑑みなされたものであり、極めて簡単な構成で容易にガラスフェンスを支柱に取り付けることができ、外観上も優れたガラスフェンスを得ることができるガラスフェンス用支柱構造を提供するものである。
【課題を解決するための手段】
【０００６】
すなわち、請求項１の考案は、ガラスフェンス（Ｇ）を取り付けるための支柱（１１）の構造であって、前記支柱（１１）は、支柱本体（１２）と該支柱本体の下部及び上部に形成された下側固定部（２０）及び上側固定部（３０）を有しており、前記下側固定部（２０）は、前記支柱本体の側方へ延設された下側アーム部（２１）と前記下側アーム部から前方に形成された下側張出部（２３）とを有し、前記下側張出部には前記ガラスフェンスの下端部（Ｇｄ）を受容する上部が開放された受け溝部（２５）が形成されているとともに、前記上側固定部（３０）は、前記支柱本体の側方へ延設された上側アーム部（３１）と前記アーム部から前方に形成された上側張出部（３３）とを有し、前記上側張出部には固定金具部（４０）が形成されていて、該固定金具部は、前記ガラスフェンスの上端部（Ｇｕ）に被着する下部が開放された被せ溝部（４２）を有しかつ該被せ溝部内には取付けねじ（５０）によって前進してガラスフェンスを押圧する押え板（４５）を備えていることを特徴とするガラスフェンス用支柱構造に係る。
【０００７】
また、請求項２の考案は、前記支柱が中間部用支柱（１１Ｍ）であって、前記下側アーム部及び上側アーム部が前記支柱本体の左右両側へ該支柱本体内を貫通してそれぞれ設けられている請求項１に記載のガラスフェンス用支柱構造に係る。
【０００８】
請求項３の考案は、前記支柱が端部用支柱（１１Ｅ）であって、前記下側アーム部及び上側アーム部が前記支柱本体の一側へ該支柱本体内を貫通してそれぞれ設けられている請求項１に記載のガラスフェンス用支柱構造に係る。
【０００９】
請求項４の考案は、前記ガラスフェンスの上端部に沿って断面逆Ｕ字状の補強用エッジ部材が取付けられている請求項１ないし３のいずれか１項に記載のガラスフェンス用支柱構造に係る。
【考案の効果】
【００１０】
請求項１の考案に係るガラスフェンス用支柱構造によれば、ガラスフェンスを取り付けるための支柱の構造であって、前記支柱は、支柱本体と該支柱本体の下部及び上部に形成された下側固定部及び上側固定部を有しており、前記下側固定部は、前記支柱本体の側方へ延設された下側アーム部と前記下側アーム部から前方に形成された下側張出部とを有し、前記下側張出部には前記ガラスフェンスの下端部を受容する上部が開放された受け溝部が形成されているとともに、前記上側固定部は、前記支柱本体の側方へ延設された上側アーム部と前記アーム部から前方に形成された上側張出部とを有し、前記上側張出部には固定金具部が形成されていて、該固定金具部は、前記ガラスフェンスの上端部に被着する下部が開放された被せ溝部を有しかつ該被せ溝部内には取付けねじによって前進してガラスフェンスを押圧する押え板を備えているため、複雑な位置決めやガラスフェンスへの孔開け加工等の必要がなく、ガラスフェンスを前記支柱に極めて容易に取り付けることができる。また、支柱に取り付けたガラスフェンスは外観が非常に優れている。
【００１１】
請求項２の考案によれば、請求項１において、前記支柱が中間部用支柱であって、前記下側アーム部及び上側アーム部が前記支柱本体の左右両側へ該支柱本体内を貫通してそれぞれ設けられているため、前記下側アーム部及び上側アーム部の強度をより確実に確保することができる。
【００１２】
請求項３の考案によれば、請求項１において、前記支柱が端部用支柱であって、前記下側アーム部及び上側アーム部が前記支柱本体の一側へ該支柱本体内を貫通してそれぞれ設けられているため、前記下側アーム部及び上側アーム部の強度をより確実に確保することができる。
【００１３】
請求項４の考案によれば、請求項１ないし３のいずれか１項において、前記ガラスフェンスの上端部に沿って断面逆Ｕ字状の補強用エッジ部材が取付けられているため、ガラスフェンスの上端部を効果的に保護することができる。
【考案を実施するための最良の形態】
【００１４】
以下添付の図面に従ってこの考案を詳細に説明する。
図１はこの考案の一実施例に係るガラスフェンスを支柱に取り付けた状態を示す全体概略正面図、図２は図１の２−２線で切断した状態の概略側面図、図３はガラスフェンスを取り付ける前の支柱を示す概略斜視図、図４はガラスフェンスの上端部に固定金具部を取り付ける状態を示す側面図、図５は固体金具部を取り付けたガラスフェンスの上端部の要部を拡大して示す側面図、図６は中間部用支柱の下側固定部の上面図、図７は中間部用支柱の上側固定部の上面図、図８は端部用支柱の下側固定部の上面図、図９は中間部用支柱の上側固定部の上面図である。
【００１５】
図１及び図２に示すように、この考案の実施例に係るガラスフェンス用支柱構造は、ガラスフェンスＧを取り付けるための支柱１１（１１Ｅ，１１Ｍ）の構造であって、前記支柱１１は、支柱本体１２と該支柱本体の下部及び上部に形成された下側固定部２０（２０Ｅ，２０Ｍ）及び上側固定部３０（３０Ｅ，３０Ｍ）を有している。
【００１６】
ガラスフェンスＧはガラス板状物からなり、前記ガラス板状物は、ソーダライムガラス、フロートガラス等から構成され、その他にポリカーボネートやアクリル等の樹脂製の板状物が用いられてもよい。また、前記ガラスフェンスＧとして、無色透明、不透明あるいは着色等の網入りガラス、強化ガラス、合わせガラス等が挙げられる。前記ガラスフェンスＧの大きさや厚みは所望に応じて選択され、実施例では同じ大きさのガラスフェンスが用いられているが、各々異なる大きさのガラスフェンスが使用されてもよい。
【００１７】
また、図１及び図５からよく理解されるように、ガラスフェンスＧの端部を保護するために、該フェンスの上端部Ｇｕに沿って断面逆Ｕ字状の補強用エッジ部材６０が取り付けられるのが好ましい。この実施例では、断面逆Ｕ字状の補強用エッジ部材６０の内側端部にゴム、ウレタン等からなる樹脂製の弾性部材６１が装着されており、前記弾性部材６１を介してガラスフェンスの上端部Ｇｕが補強用エッジ部材６０に嵌挿される。なお、前記補強用エッジ部材６０は、特に限定されず、アルミニウム等の金属、合金、樹脂等から構成される。
【００１８】
支柱１１は、図１及び図２に示されるように、支柱本体１２と該支柱本体１２の下部及び上部に形成された下側固定部２０及び上側固定部３０を有している。前記支柱１１、下側固定部２０及び上側固定部３０は、ガラスフェンスＧを取り付けても強度が十分に確保できるような金属または合金類等により構成される。前記支柱１１は取り付けるガラスフェンスの大きさや数に応じて、適度な間隔をあけて屋内あるいは屋外の図示のような基台Ｂや図示しない設置面、設置床に複数埋設等される。また、前記下側固定部２０及び上側固定部３０についても、ガラスフェンスＧの大きさに合わせて配設される。
【００１９】
そして、図１及び図３から理解されるように、この実施例においては、これら複数の支柱のうち、ガラスフェンスＧの最端側において、支柱本体１２の片側で支持する支柱は端部用支柱１１Ｅとされ、支柱本体１２の両側でガラスフェンスＧを支持できる支柱は中間部用支柱１１Ｍとされる。すなわち、前記端部用支柱１１Ｅは、下側固定部２０Ｅ及び上側固定部３０Ｅにおいて、下側アーム部２１及び上側アーム部３１が支柱本体１２の一側へ延設されて、支柱本体１２の片側にガラスフェンスＧが取り付けられる。一方、中間部用支柱１１Ｍは、下側固定部２０Ｍ及び上側固定部３０Ｍにおいて、下側アーム部２１及び上側アーム部３１が支柱本体１２の左右両側へそれぞれ延設され、支柱本体１２の両側にガラスフェンスＧが取り付けられる。
【００２０】
なお、前記端部用支柱１１Ｅ及び前記中間部用支柱１１Ｍにおける各下側固定部２０Ｅ，２０Ｍ及び各上側固定部３０Ｅ，３０Ｍの構成は、支柱本体１２から下側アーム部２１及び上側アーム部３１が一側に延設されるか、あるいは左右両側に延設されるかの相違があるが、各々を構成する部材は同様であり、図中において同一符号のものは同一構成であるものとして、以下、支柱１１（１１Ｅ，１１Ｍ）に形成された一の下側固定部２０（２０Ｅ，２０Ｍ）及び上側固定部３０（３０Ｅ，３０Ｍ）の構成について説明する。
【００２１】
下側固定部２０は、図３からよく理解されるように、前記支柱本体１２の側方へ延設された下側アーム部２１と前記下側アーム部２１から前方に形成された下側張出部２３とを有している。前記下側張出部２３には前記ガラスフェンスＧの下端部Ｇｄを受容する上部が開放された受け溝部２５が形成されており、この受け溝部２５によってガラスフェンスＧが保持される。前記受け溝部２５の大きさは、ガラスフェンスＧの大きさ等に応じて適宜調製される。なお、前記受け溝部２５の内側には、ガラスフェンスＧの下端部Ｇｄが当接する箇所に、図２で示されるように、クッション材としてゴム等よりなる弾性部材２８が設けられてもよい。この弾性部材２８の厚みは、ガラスフェンスＧの厚み等によって適宜調整される。
【００２２】
前記下側アーム部２１は、支柱本体１２に対して溶接等により固着されるなど、その形成方法は限定されないが、特に、前記各アーム部２１にはガラスフェンスＧの自重等による負荷がかかるため、その強度をさらに確実に確保するために次のような構成とされてもよい。すなわち、図６に示されるように、支柱１１が中間部用支柱１１Ｍである場合、前記下側アーム部２１が前記支柱本体１２の左右両側へ貫通して設けられるのが好ましい。また、端部用支柱１１Ｅの場合でも同様であり、支柱本体１２の一側へ該支柱本体１２内を貫通して設けられることが望ましい（図８参照）。なお、各アーム部２１は支柱本体１２に貫通させた後、さらに溶接等により支柱本体１２に固着される。
【００２３】
一方、上側固定部３０は、前記支柱本体１２の側方へ延設された上側アーム部３１と前記アーム部３１から前方に形成された上側張出部３３とを有する。前記上側固定部３０によって、ガラスフェンスＧは前記支柱１１に確実に固定される。上側アーム部３１の形成方法は特に限定されないが、その強度を十分に確保するために、上述したように、下側アーム部２１と同様に構成されてもよい。すなわち、図７に示される中間部用支柱１１Ｍ及び図９の端部用支柱１１Ｅのように、前記上側アーム部３１が前記支柱本体１２の左右両側あるいは片側へ貫通して設けられるのが好ましく、前記各アーム部３１は支柱本体１２に貫通させた後、さらに溶接等により支柱本体１２に固着される。
【００２４】
上側張出部３３は前記上側アーム部３１から前方に形成され、図２及び図４に示されるように、前記下側張出部２３よりも後方に形成される。実施例では、下側固定部２０の受け溝部２５にガラスフェンスの下端部Ｇｄを載置、収容したときに、該フェンスの上端部Ｇｕが上側張出部３３に当接せず、後述の固定金具部４０を上側固定部３０に取り付けた場合に、固定金具部４０の被せ溝部４２内にガラスフェンスの上端部Ｇｕが配置されるように上側張出部３３が設けられる。また、図４に示されるように、下側固定部２０の受け溝部２５にガラスフェンスの下端部Ｇｄを収容したときに、ガラスフェンスＧの高さは上側張出部３３の高さと概ね同じ位に構成される。
【００２５】
前記上側張出部３３には固定金具部４０が形成されていて、該固定金具部４０は、前記ガラスフェンスの上端部Ｇｕに被着する下部が開放された被せ溝部４２を有し、かつ該被せ溝部４２内には取付けねじ５０によって前進してガラスフェンスＧを押圧する押え板４５を備えている。
【００２６】
すなわち、図４からよりよく理解されるように、実施例では上側張出部３３には固定金具部４０を固定するための取付孔部３９が形成されており、前記取付孔部３９と固定金具部４０の取付孔部４９に挿通される図２のボルト５５と図示しないナットにより、固定金具部４０が上側張出部３３に螺合される。そして、被せ溝部４２内に位置するガラスフェンスの上端部Ｇｕは、図５のように、取付けねじ５０によって押え板４５を前進させて前記上端Ｇｕが確実に押圧されて固定される。なお、実施例では、ガラスフェンスの上端部Ｇｕ表面を保護するために、押え板４５の表面及びガラスフェンスの上端Ｇｕを介して対向する被せ溝部４２の内側にゴム、ウレタン等からなる樹脂製の弾性部材４８が設けられる。
【００２７】
次に、図１に示されるように、基台Ｂに設けられた中間部用支柱１１Ｍ及び端部用支柱１１Ｅの間にガラスフェンスＧを取り付ける方法について説明する。なお、ガラスフェンスＧは、図示しない中間部用支柱と中間部用支柱、あるいは端部用支柱と端部用支柱によって支持される場合でも以下の方法と同様に取り付けることができる。
【００２８】
まず、図３に示されるように、ガラスフェンスＧの大きさに合わせて所望の間隔で中間部用支柱１１Ｍ及び端部用支柱１１Ｅが図１の基台Ｂに配設される。まず、ガラスフェンスＧの下端部を、中間部用支柱１１Ｍの下側固定部２０Ｍに形成された受け溝部２５と、端部用支柱１１Ｅの下側固定部２０Ｅに形成された受け溝部２５に収容して載置する。このとき、ガラスフェンスＧは特に細かい位置決め等の必要がなく、各支柱１１Ｅ，１１Ｍの受け溝部２５に収容するだけなので極めて作業が容易である。
【００２９】
次に、ガラスフェンスの上端部Ｇｕを図１の如く、各上側固定部３０（３０Ｅ，３０Ｍ）に固定する。図４から理解されるように、受け溝部２５に収容されたガラスフェンスＧの上端部Ｇｕを被せ溝部４２で被覆するようにして、固定金具部４０が取り付けられる。固定金具部４０は、上述したように、上側固定部材３０の上側張出部３３に設けられた取付孔部３９と固定金具部４０の取付孔部４９にボルト５５を挿通させてナットを締め付けて固定される。
【００３０】
そして、図５からよりよく理解されるように、取付けねじ５０によって押え板４５を前進させることによってガラスフェンスＧが押圧される。すなわち、ガラスフェンスＧは上端部Ｇｕにおいて、左右両側部の２箇所において、各上側固定部２０Ｍ，２０Ｅにより確実に固定される。
【００３１】
以上説明したように、この考案に係るガラスフェンス用支柱構造によれば、ガラスフェンスを支柱に取り付ける際に、複雑な位置決め等の必要がなく、各構成部材に多少の寸法誤差等があっても、固定金具部や押え板等により調整できるので、確実かつ極めて容易に支柱に取り付けることができる。また、ガラスフェンスを支持する支柱と支柱との間隔や下側固定部と上側固定部の配置を調整することで、どのような大きさのガラスフェンスにも対応することができる。
【００３２】
さらに、ガラスフェンスに孔開け加工等の取付のための加工の必要がないので、従来と比較して工程数を少なくすることができる。加えて、図１から理解されるように、ガラスフェンスＧの正面視においては、下側張出部２３及び固定金具部４０が部分的に視認されるのみであり、外観上極めて優れたガラスフェンスＧを得ることができる。なお、この考案のガラスフェンス用支柱構造は、上述した実施例に限定されず、当業者の知識に基づいて様々な変更、修正、改良等を加えて実施することができる。
【図面の簡単な説明】
【００３３】
【図１】この考案の一実施例に係るガラスフェンスを支柱に取り付けた状態を示す全体概略正面図である。
【図２】図１の２−２線で切断した状態の概略側面図である。
【図３】ガラスフェンスを取り付ける前の支柱を示す概略斜視図である。
【図４】ガラスフェンスの上端部に固定金具部を取り付ける状態を示す側面図である。
【図５】固体金具部を取り付けたガラスフェンスの上端部の要部を拡大して示す側面図である。
【図６】中間部用支柱の下側固定部の上面図である。
【図７】中間部用支柱の上側固定部の上面図である。
【図８】端部用支柱の下側固定部の上面図である。
【図９】端部用支柱の上側固定部の上面図である。
【符号の説明】
【００３４】
Ｇ  ガラスフェンス
Ｇｕ  上端部
Ｇｄ  下端部
１１，１１Ｍ，１１Ｅ  支柱
１２  支柱本体
２０  下側固定部
２１  下側アーム部
２３  下側張出部
２５  受け溝部
３０  上側固定部
３１  上側アーム部
３３  上側張出部
４０  固定金具部
４２  被せ溝部
４５  押え板
５０  取付けねじ
【図１】
0003137717.tif 000003
【図２】
0003137717.tif 000004
【図３】
0003137717.tif 000005
【図４】
0003137717.tif 000006
【図５】
0003137717.tif 000007
【図６】
0003137717.tif 000008
【図７】
0003137717.tif 000009
【図８】
0003137717.tif 000010
【図９】
0003137717.tif 000011